(57)【要約】【課題】葉書において、従来品より娯楽性が更に高められた葉書を提供する。【解決手段】葉書には、健康運、金銭運、異性運、方位の吉凶等の運勢についての文言を表示する被印刷部２０ａと、懸賞に当選したことを表す文言を表示する被印刷部３０ａとが設けられ、被印刷部２０ａには、被印刷部２０ａを隠蔽するための第１被覆部で、削り動作等のスクラッチ動作により除去可能な第１被覆部が設けられ、被印刷部２０ａと該第１被覆部とで第１スクラッチ部が形成され、被印刷部３０ａには、被印刷部３０ａを隠蔽するための第２被覆部で、削り動作等のスクラッチ動作により除去可能な第２被覆部が設けられ、被印刷部３０ａと該第２被覆部とで第２スクラッチ部が形成されている。【選択図】図２
0003192476.tif 000002
【実用新案登録請求の範囲】
【請求項１】
葉書であって、
シート状部材により形成された葉書本体（１０）と、
葉書本体における宛名表示面とは反対側の面に設けられた少なくとも１つの第１スクラッチ部で、葉書本体に印刷された第１被印刷部（２０ａ）と、第１被印刷部を隠蔽するための第１被覆部で、削り動作等のスクラッチ動作により除去可能な第１被覆部（２０ｂ）とを有する第１スクラッチ部（２０）と、
葉書本体における宛名表示面とは反対側の面に設けられた少なくとも１つの第２スクラッチ部で、葉書本体に印刷された第２被印刷部（３０ａ）と、第２被印刷部を隠蔽するための第２被覆部で、削り動作等のスクラッチ動作により除去可能な第２被覆部（３０ｂ）とを有する第２スクラッチ部（３０）とを有し、
第１被印刷部が、健康運、金銭運、異性運、方位の吉凶等の運勢についての文言を表示しており、
第２被印刷部が、懸賞に当選したことを表す文言を表示していることを特徴とする葉書。
【請求項２】
当選した懸賞の請求先を表す請求先表示部（４０）が、葉書本体における宛名表示面又は宛名表示面とは反対側の面に印刷されていることを特徴とする請求項１に記載の葉書。
【請求項３】
葉書本体が、年賀状用の郵便葉書であることを特徴とする請求項１又は２に記載の葉書。
【請求項４】
葉書であって、
シート状部材により形成された年賀状用の郵便葉書である葉書本体（１０）と、
葉書本体における宛名表示面とは反対側の面に設けられた少なくとも１つの第１スクラッチ部で、葉書本体に印刷された第１被印刷部（２０ａ）と、第１被印刷部と葉書本体の第１被印刷部周囲に付着されて第１被印刷部を隠蔽する第１被覆部で、削り動作等のスクラッチ動作により除去可能な第１被覆部（２０ｂ）とを有する第１スクラッチ部（２０）と、
葉書本体における宛名表示面とは反対側の面に設けられた少なくとも１つの第２スクラッチ部で、葉書本体に印刷された第２被印刷部（３０ａ）と、第２被印刷部と葉書本体の第２被印刷部周囲に付着されて第２被印刷部を隠蔽する第２被覆部で、削り動作等のスクラッチ動作により除去可能な第２被覆部（３０ｂ）とを有する第２スクラッチ部（３０）とを有し、
第１被印刷部が、健康運、金銭運、異性運、方位の吉凶等の運勢についての文言を表示しており、
第２被印刷部が、懸賞に当選したことを表す文言を表示しており、
さらに、当選した懸賞の請求先を表す請求先表示部（４０）が、葉書本体における宛名表示面又は宛名表示面とは反対側の面に印刷されていることを特徴とする葉書。
【考案の詳細な説明】
【技術分野】
【０００１】
本考案は、娯楽性を有する葉書に関するものであり、特に、スクラッチ付きの葉書に関するものである。
【背景技術】
【０００２】
従来より、娯楽性を有する葉書として、特許文献１に記載された葉書が存在する。この葉書は、シート状部材からなる本体部と、上記本体部に印刷されたゲーム部であって、ゲームを行なうための情報を印刷することにより設けられたゲーム部と、上記ゲーム部における印刷された情報の少なくとも一部を隠蔽するためのスクラッチ部であって、削り動作等のスクラッチ動作により除去可能なスクラッチ部とを有しており、その優れた娯楽性により、市場において好評を得ていた。
【先行技術文献】
【特許文献】
【０００３】
【特許文献１】実用新案登録第３０８３６９９号公報
【考案の概要】
【考案が解決しようとする課題】
【０００４】
しかし、市場を取り巻く環境の変化や、需要者の要求の変化は激しく、これに応えるためには、娯楽性を更に高めた商品の開発が必要であった。
【０００５】
そこで、本考案は、葉書において、従来品より娯楽性が更に高められた葉書を提供することを目的とする。
【課題を解決するための手段】
【０００６】
本考案は上記問題点を解決するために創作されたものであって、第１には、葉書であって、シート状部材により形成された葉書本体（１０）と、葉書本体における宛名表示面とは反対側の面に設けられた少なくとも１つの第１スクラッチ部で、葉書本体に印刷された第１被印刷部（２０ａ）と、第１被印刷部を隠蔽するための第１被覆部で、削り動作等のスクラッチ動作により除去可能な第１被覆部（２０ｂ）とを有する第１スクラッチ部（２０）と、葉書本体における宛名表示面とは反対側の面に設けられた少なくとも１つの第２スクラッチ部で、葉書本体に印刷された第２被印刷部（３０ａ）と、第２被印刷部を隠蔽するための第２被覆部で、削り動作等のスクラッチ動作により除去可能な第２被覆部（３０ｂ）とを有する第２スクラッチ部（３０）とを有し、第１被印刷部が、健康運、金銭運、異性運、方位の吉凶等の運勢についての文言を表示しており、第２被印刷部が、懸賞に当選したことを表す文言を表示していることを特徴とする。
【０００７】
第１の構成の葉書においては、運勢を占うおみくじ（第１スクラッチ部）と、賞金や賞品が得られる懸賞くじ（第２スクラッチ部）とが混在し、おみくじとしての娯楽性と、懸賞くじとしての娯楽性を兼備していることにより、従来品にはない高い娯楽性を発揮することができる。
【０００８】
また、第２には、上記第１の構成において、当選した懸賞の請求先を表す請求先表示部（４０）が、葉書本体における宛名表示面又は宛名表示面とは反対側の面に印刷されていることを特徴とする。
【０００９】
第２の構成の葉書においては、懸賞当選者が懸賞を受け取るための請求が容易である。つまり、この懸賞くじは、葉書の差し出し人から受け取り人への贈り物であるが、当選した受け取り人は、葉書を見るだけで、懸賞をどこに請求すればよいのかを知得することができ、気軽に懸賞を請求し、受け取ることができる。
【００１０】
また、第３には、上記第１又は第２の構成において、葉書本体が、年賀状用の郵便葉書であることを特徴とする。
【００１１】
第３の構成の葉書においては、新年の挨拶とともに、おみくじと、懸賞くじとを受け取り人にプレゼントすることができる。つまり、葉書の魅力を一層高いものとすることができる。
【００１２】
また、第４には、葉書であって、シート状部材により形成された年賀状用の郵便葉書である葉書本体（１０）と、葉書本体における宛名表示面とは反対側の面に設けられた少なくとも１つの第１スクラッチ部で、葉書本体に印刷された第１被印刷部（２０ａ）と、第１被印刷部と葉書本体の第１被印刷部周囲に付着されて第１被印刷部を隠蔽する第１被覆部で、削り動作等のスクラッチ動作により除去可能な第１被覆部（２０ｂ）とを有する第１スクラッチ部（２０）と、葉書本体における宛名表示面とは反対側の面に設けられた少なくとも１つの第２スクラッチ部で、葉書本体に印刷された第２被印刷部（３０ａ）と、第２被印刷部と葉書本体の第２被印刷部周囲に付着されて第２被印刷部を隠蔽する第２被覆部で、削り動作等のスクラッチ動作により除去可能な第２被覆部（３０ｂ）とを有する第２スクラッチ部（３０）とを有し、第１被印刷部が、健康運、金銭運、異性運、方位の吉凶等の運勢についての文言を表示しており、第２被印刷部が、懸賞に当選したことを表す文言を表示しており、さらに、当選した懸賞の請求先を表す請求先表示部（４０）が、葉書本体における宛名表示面又は宛名表示面とは反対側の面に印刷されていることを特徴とする。
【００１３】
第４の構成の葉書においては、運勢を占うおみくじ（第１スクラッチ部）と、賞金や賞品が得られる懸賞くじ（第２スクラッチ部）とが混在し、おみくじとしての娯楽性と、懸賞くじとしての娯楽性を兼備していることにより、従来品にはない高い娯楽性を発揮することができる。
【００１４】
また、懸賞当選者が懸賞を受け取るための請求が容易である。つまり、この懸賞くじは、葉書の差し出し人から受け取り人への贈り物であるが、当選した受け取り人は、葉書を見るだけで、懸賞をどこに請求すればよいのかを知得することができ、気軽に懸賞を請求し、受け取ることができる。
【００１５】
また、新年の挨拶とともに、おみくじと、懸賞くじとを受け取り人にプレゼントすることができる。つまり、葉書の魅力を一層高いものとすることができる。
【考案の効果】
【００１６】
本考案に基づく葉書によれば、運勢を占うおみくじ（第１スクラッチ部）と、賞金や賞品が得られる懸賞くじ（第２スクラッチ部）とが混在し、おみくじとしての娯楽性と、懸賞くじとしての娯楽性を兼備していることにより、従来品にはない高い娯楽性を発揮することができる。
【図面の簡単な説明】
【００１７】
【図１】本考案の葉書の裏面側の構成を示す平面図である。
【図２】本考案の葉書の被印刷部が露出した状態を示す平面図である。
【図３】本考案の葉書の表面側の構成を示す平面図である。
【図４】本考案の葉書のスクラッチ部の構造を示す断面図である。
【考案を実施するための形態】
【００１８】
本考案においては、葉書において、従来品より娯楽性が更に高められた葉書を提供するという目的を以下のようにして実現した。
【００１９】
本考案に基づく本実施例の葉書５は、図１〜図４に示すように構成され、葉書本体１０と、葉書本体１０の裏面（すなわち、宛名表示面とは反対側の面）に設けられた複数のスクラッチ部２０（第１スクラッチ部）と、葉書本体１０の裏面に設けられた１つのスクラッチ部３０（第２スクラッチ部）と、請求先表示部４０とを有している。
【００２０】
葉書本体１０は、紙材等のシート状部材により形成され、略長方形状を呈し、その表面（おもてめん）側（つまり、宛名表示面側）（図３を参照）における上部側の中央から右側寄りの位置には、郵便番号を記入するための四角枠が印刷されている。つまり、葉書本体１０は、郵便葉書であり、具体的には、年賀状用の郵便葉書である。
【００２１】
各スクラッチ部２０は、葉書本体１０の裏面側に散在しており、被印刷部２０ａ（第１被印刷部）と、被覆部２０ｂ（第１被覆部）とを有している。
【００２２】
被印刷部２０ａは、適宜インキ等の印刷により、葉書本体１０上に形成され、図２（被印刷部が露出した状態を示す平面図）に示すように、「エネルギッシュな一年に」「仕事運  大吉」「思いがけない大金も」「思いやりを大切に」等の文言を表示している。
【００２３】
つまり、被印刷部２０ａは、健康運、仕事運、金銭運、異性運、方位の吉凶等の運勢についての文言を表示している。
【００２４】
被覆部２０ｂは、スクラッチ印刷物製造用のインキで隠蔽力が高く易剥離性のインキを印刷すること又は金箔等の箔状の塗膜を印刷することにより形成され、被印刷部２０ａと、葉書本体１０の被印刷部２０ａの周囲に付着されて、被印刷部２０ａを隠蔽している。
【００２５】
使用する際には、コイン等を被覆部２０ｂに擦り付け、被覆部２０ｂを削り取るか、粘着テープを被覆部２０ｂに貼り付け、被覆部２０ｂに貼り付けられた粘着テープを剥がすことにより、被覆部２０ｂを剥離し、被印刷部２０ａを露出させる。つまり、被覆部２０ｂは、削り動作等のスクラッチ動作により葉書本体１０から除去可能となっている。被覆部２０ｂを削り取る動作や被覆部２０ｂに粘着テープを貼って剥がす動作は、スクラッチ動作に当たる。
【００２６】
次に、スクラッチ部３０は、複数のスクラッチ部２０が散在した、スクラッチ部２０の一群の中に混在しており、被印刷部３０ａ（第２被印刷部）と、被覆部３０ｂ（第２被覆部）とを有している。
【００２７】
被印刷部３０ａは、適宜インキ等の印刷により、葉書本体１０上に形成され、「大当たり  おめでとう」等の懸賞に当選したことを表す文言を表示している。
【００２８】
被覆部３０ｂは、スクラッチ印刷物製造用で隠蔽力が高く易剥離性のインキを印刷することにより形成され、被印刷部３０ａと、葉書本体１０の被印刷部３０ａの周囲に付着されて、被印刷部３０ａを隠蔽している。
【００２９】
使用する際には、コイン等を被覆部３０ｂに擦り付け、被覆部３０ｂを削り取るか、粘着テープを被覆部３０ｂに貼り付け、被覆部３０ｂに貼り付けられた粘着テープを剥がすことにより、被覆部３０ｂを剥離し、被印刷部３０ａを露出させる。つまり、被覆部３０ｂは、削り動作等のスクラッチ動作により葉書本体１０から除去可能となっている。被覆部３０ｂを削り取る動作や被覆部３０ｂに粘着テープを貼って剥がす動作は、スクラッチ動作に当たる。
【００３０】
なお、スクラッチ部２０及びスクラッチ部３０の周囲には略四角状枠が印刷され、この四角枠内の上部には「おみくじ」の文字が印刷され、各スクラッチ部と、その周囲の略四角状枠と、「おみくじ」の文字とにより、おみくじが表現され、おみくじ間には、花を咲かせた樹木の枝が描かれている。
【００３１】
つまり、スクラッチ部２０及びスクラッチ部３０と、その周囲に描かれた、図形、文字、絵柄とにより、花を咲かせた樹木の枝におみくじが取り付けられた景色が表現されている。また、葉書本体１０の裏面の左上の領域には、「大当たりの文字が出たら○○プレゼント」の表示が印刷して設けられていて、葉書５が懸賞付きの葉書であることが分かるようになっている。
【００３２】
また、請求先表示部４０は、図３に示すように、適宜インキ等の印刷により、葉書本体１０の表面側中央の空白部である表書き部の下部に形成され、「ハガキの送り先  （株）○○○  プレゼント係  〒○○○−○○○○  ○○市○○区○○○○」等のように、当選した懸賞の請求先を表す文言を表示している。
【００３３】
この葉書５の受け取り人は、複数のスクラッチ部２０と少なくと１つのスクラッチ部３０により構成された一群の中から１つだけを選択し、被覆部を剥がし、懸賞に当選したことを表す文言が表れたなら、つまり、スクラッチ部３０を選択し、被覆部３０bを剥がし、被印刷部３０aが現れたならば、その葉書５（被印刷部３０aが露出しているとともに、被印刷部２０aが露出していない葉書５）を請求先表示部４０で表示された請求先に送ることにより、懸賞の送付を受けることができる。
【００３４】
また、スクラッチ部２０を選択した場合でも、運勢についての文言を表示している被印刷部２０aが露出し、おみくじとして楽しむことができる。
【００３５】
以上本実施例では、葉書５は、１つのスクラッチ部３０を有しているとしたが、２つ以上のスクラッチ部３０を有していてもよい。また、スクラッチ部２０は複数設けられているとしたが、少なくとも１つのスクラッチ部２０が設けられていればよい。
【００３６】
また、葉書本体１０は、年賀状用の郵便葉書であるとしたが、年賀状用ではない葉書の用紙、官製郵便葉書、お年玉付き官製年賀状用の郵便葉書でもよい。
【００３７】
また、請求先表示部４０は、葉書本体１０の表面側に印刷されているとしたが、請求先表示部４０が葉書本体１０の裏面側に印刷されていてもよい。
【００３８】
以上のように、本考案の葉書５によれば、運勢を占うおみくじ（複数のスクラッチ部２０）の中に、賞金や賞品が得られる懸賞くじ（スクラッチ部３０）が混在し、おみくじとしての娯楽性と、懸賞くじとしての娯楽性を兼備していることにより、従来品にはない高い娯楽性を発揮することができる。
【００３９】
また、懸賞当選者が懸賞を受け取るための請求が容易である。つまり、この懸賞くじは、葉書の差し出し人から受け取り人への贈り物であるが、当選した受け取り人は、葉書５を見るだけで、懸賞をどこに請求すればよいのかを知得することができ、気軽に懸賞を請求し、受け取ることができる。
【００４０】
また、新年の挨拶とともに、おみくじと、懸賞くじとを受け取り人にプレゼントすることができる。つまり、葉書の魅力を一層高いものとすることができる。
【符号の説明】
【００４１】
５    葉書
１０  葉書本体
２０、３０  スクラッチ部
２０ａ、３０ａ  被印刷部
２０ｂ、３０ｂ  被覆部
４０  請求先表示部
【図１】
0003192476.tif 000003
【図２】
0003192476.tif 000004
【図３】
0003192476.tif 000005
【図４】
0003192476.tif 000006